(57)【要約】【課題】販売員が不在であっても、使用者がマッサージ機を勝手に使用して怪我をしたり、誤使用によりマッサージ機を破損・故障させたりすることを防ぐことができる認証システム及びこの認証システムを備えたマッサージ機を提供することを目的とする。【解決手段】電子通信端末は、登録手段を有し、マッサージ機は、前記マッサージ機の動作を制御する制御手段と、入力手段と、登録された情報と入力された情報とを照合することで使用者を認証する認証手段と、を有し、前記制御手段は、前記マッサージ機の少なくともマッサージ動作を制限する制限モードと、前記制限モードを解除する制限解除モードと、を有し、前記電子通信端末と前記マッサージ機は通信可能に接続されており、前記マッサージ機は、前記認証手段の認証結果に基づき前記制限モードから前記制限解除モードへ移行する。【選択図】      図１
2020062272.tif 000002
【特許請求の範囲】
【請求項１】
電子通信端末は、使用者を特定するための情報を登録する登録手段を有し、
マッサージ機は、
前記マッサージ機の動作を制御する制御手段と、
使用者を特定するための情報を入力する入力手段と、
前記登録手段で登録された情報と前記入力手段で入力された情報とを照合することで使用者を認証する認証手段と、を有し、
前記制御手段は、
前記マッサージ機の少なくともマッサージ動作を制限する制限モードと、
前記制限モードを解除する制限解除モードと、を有し、
前記電子通信端末と前記マッサージ機は通信可能に接続されており、
前記マッサージ機は、前記認証手段の認証結果に基づき前記制限モードから前記制限解除モードへ移行することを特徴とするマッサージ機の認証システム。
【請求項２】
電子通信端末は、
使用者を特定するための情報を入力する入力手段と、
使用者を特定するための情報を登録するための登録手段と、を有し、
前記入力手段で入力された情報と前記登録手段で登録された情報とを照合することで使用者を認証する認証手段を有し、
マッサージ機は、前記マッサージ機の動作を制御する制御手段を有し、
前記制御手段は、
前記マッサージ機の少なくともマッサージ動作を制限する制限モードと、
前記制限モードを解除する制限解除モードと、を有し、
前記電子通信端末と前記マッサージ機は、それぞれ通信可能に接続されており、
前記マッサージ機は、前記認証手段の認証結果に基づき前記制限モードから前記制限解除モードへ移行することを特徴とするマッサージ機の認証システム
【請求項３】
前記電子通信端末は、可搬型であることを特徴とする請求項１又は２のいずれかに記載のマッサージ機の認証システム。
【請求項４】
前記認証結果は、前記電子通信端末に報知されることを特徴とする請求項１〜３のいずれかに記載のマッサージ機の認証システム。
【請求項５】
マッサージ機は、
前記マッサージ機の動作を制御する制御手段と、
使用者を特定するための情報を入力する入力手段と、を有し、
前記制御手段は、
前記マッサージ機の少なくともマッサージ動作を制限する制限モードと、
前記制限モードを解除する制限解除モードと、を有し、
サーバーは、
使用者を特定するための情報をあらかじめ記憶した記憶手段と、
前記入力手段で入力された情報と前記記憶手段にあらかじめ記憶した情報とを照合することで使用者を認証する認証手段と、を有し、
前記マッサージ機と前記サーバーは通信可能に接続されており、
前記マッサージ機は、前記認証手段の認証結果に基づき前記制限モードから前記制限解除モードへ移行することを特徴とするマッサージ機の認証システム。
【請求項６】
前記電子通信端末、前記マッサージ機、前記サーバーのうち少なくとも１つは、前記情報を削除する削除手段を有し、
前記情報は、自動的に前記削除手段により削除されることを特徴とする請求項１〜５のいずれかに記載のマッサージ機の認証システム。
【請求項７】
前記情報は、使用者の生体情報であることを特徴とする請求項１〜６に記載のマッサージ機。
【請求項８】
マッサージ機は、
前記マッサージ機の動作を制御する制御手段と、
使用者を特定するための情報を入力する入力手段と、
使用者を特定するための情報を登録する登録手段と、
前記入力手段で入力された情報と前記登録手段で登録された情報とを照合することで使用者を認証する認証手段と、
前記情報を削除する削除手段と、を有し、
前記制御手段は、
前記マッサージ機の少なくともマッサージ動作を制限する制限モードと、
前記制限モードを解除する制限解除モードと、を有し、
前記情報は、使用者の生体情報であり、
前記マッサージ機は、前記認証手段の認証結果に基づき前記制限モードから前記制限解除モードへ移行するとともに、前記情報を自動的に前記削除手段により削除することを特徴とするマッサージ機の認証システム。
【請求項９】
前記情報が削除されると、前記マッサージ機は、前記制限解除モードから前記制限モードへ移行することを特徴とする請求項６〜８に記載のマッサージ機。
【発明の詳細な説明】
【技術分野】
【０００１】
本発明は、認証システム及びこの認証システムを備えたマッサージ機に関する。
【背景技術】
【０００２】
従来、マッサージ機は、家電量販店等の店舗に展示され、販売員が機器の特徴や使用方法を説明して販売されることが一般的である。しかし、上記販売方法では、店舗ごとに販売員を配置しなければならず、販売員が不在の時には、来店した使用者がマッサージ機を勝手に使用して怪我をしたり、誤使用によりマッサージ機を破損・故障させたりするおそれがある。さらに、購入意思のない使用者が休憩のためにマッサージ機を使用することにより、購入意思のある使用者がマッサージ機を購入する機会を逃してしまうという問題がある。
このような問題に対して、マッサージ機に画像出力装置及び音声出力装置を設け、機器の使用方法等の説明を含む情報を出力可能なマッサージ機が提案されている（例えば、特許文献１参照）。
【先行技術文献】
【特許文献】
【０００３】
【特許文献１】特開平５−４０８７３号公報
【発明の概要】
【発明が解決しようとする課題】
【０００４】
上記特許文献１に記載のマッサージ機にあっては、使用者は、前記情報の出力をキャンセルしたり、前記情報を十分取得していない状態でマッサージを開始したりする可能性がある。従って、適切に機器を使用できない可能性がある。これでは、マッサージ機による怪我や誤使用によるマッサージ機の破損・故障を防ぐことができない。
また、購入意思のない使用者が休憩のためにマッサージ機を使用するのを防ぐことができない可能性がある。これでは、購入意思のある使用者がマッサージ機を購入する機会を逃してしまう。
そこで本発明は、上述した問題を解消するためになされたものであり、販売員が不在であっても、使用者がマッサージ機を勝手に使用して怪我をしたり、誤使用によりマッサージ機を破損・故障させたりすることを防ぐことができる認証システム及びこの認証システムを備えたマッサージ機と、購入意思のない使用者が休憩のためにマッサージ機を使用するのを防ぐことができる認証システム及びこの認証システムを備えたマッサージ機を提供することを目的とする。
【課題を解決するための手段】
【０００５】
本発明は、電子通信端末は、使用者を特定するための情報を登録する登録手段を有し、マッサージ機は、前記マッサージ機の動作を制御する制御手段と、使用者を特定するための情報を入力する入力手段と、前記登録手段で登録された情報と前記入力手段で入力された情報とを照合することで使用者を認証する認証手段と、を有し、前記制御手段は、前記マッサージ機の少なくともマッサージ動作を制限する制限モードと、前記制限モードを解除する制限解除モードと、を有し、前記電子通信端末と前記マッサージ機は通信可能に接続されており、前記マッサージ機は、前記認証手段の認証結果に基づき前記制限モードから前記制限解除モードへ移行することを特徴とする。
このような構成とすることにより、電子通信端末で登録した使用者を特定するための情報をマッサージ機へ送信・認証することで使用者を特定する。マッサージ機は、認証結果に基づいて制限モードから制限解除モードへ移行することで、マッサージ機を勝手に使用して怪我をしたり、誤使用によりマッサージ機を破損・故障させたりすることを防ぐことができる。また、購入意思のない使用者が休憩のためにマッサージ機を使用するのを防ぐことができる。
【０００６】
本発明は、電子通信端末は、使用者を特定するための情報を入力する入力手段と、使用者を特定するための情報を登録するための登録手段と、を有し、前記入力手段で入力された情報と前記登録手段で登録された情報とを照合することで使用者を認証する認証手段を有し、マッサージ機は、前記マッサージ機の動作を制御する制御手段を有し、前記制御手段は、前記マッサージ機の少なくともマッサージ動作を制限する制限モードと、前記制限モードを解除する制限解除モードと、を有し、前記電子通信端末と前記マッサージ機は、それぞれ通信可能に接続されており、前記マッサージ機は、前記認証手段の認証結果に基づき前記制限モードから前記制限解除モードへ移行することが好ましい。
このような構成とすることにより、電子通信端末で使用者を特定するための情報を入力し、入力後に登録された使用者を特定するための情報を認証することで使用者を特定する。その後、認証した情報をマッサージ機へ送信することで、マッサージ機は、認証結果に基づいて制限モードから制限解除モードへ移行する。そのため、マッサージ機を勝手に使用して怪我をしたり、誤使用によりマッサージ機を破損・故障させたりすることを防ぐことができる。また、購入意思のない使用者が休憩のためにマッサージ機を使用するのを防ぐことができる。
【０００７】
また、前記電子通信端末は、可搬型であることが好ましい。
このような構成とすることにより、マッサージ機から離れた場所であっても、使用者を特定するための情報の入力や登録、更には使用者の認証をすることができる。
【０００８】
また、前記認証結果は、前記電子通信端末に報知されることが好ましい。
このような構成とすることにより、認証結果を電子通信端末で把握することができる。例えば、家電量販店の販売員は、店内においている商品の在庫などを調べたりするための電子通信端末を持っていることが多く、日常的にマッサージ機の売り場にいるわけではない。そのため、電子通信端末で使用者を認証する場合、マッサージ機を使用したい使用者は、家電量販店の販売員に声をかけて認証する必要がある。つまり、販売員は、マッサージ機の売り場にいなくても、マッサージ機を使用したい使用者を把握することができ、購買機会の向上を図ることができる。
また、マッサージ機で使用者を認証する場合、マッサージ機を使用したい使用者は、自らマッサージ機で認証を行う。そして、その認証結果が販売員の持つ電子通信端末に報知される。つまり、販売員は、これからマッサージ機を使用する使用者がいることを把握することができ、購買機会の向上を図ることができる。
【０００９】
本発明は、マッサージ機は、前記マッサージ機の動作を制御する制御手段と、使用者を特定するための情報を入力する入力手段と、を有し、前記制御手段は、前記マッサージ機の少なくともマッサージ動作を制限する制限モードと、前記制限モードを解除する制限解除モードと、を有し、サーバーは、使用者を特定するための情報をあらかじめ記憶した記憶手段と、前記入力手段で入力された情報と前記記憶手段にあらかじめ記憶した情報とを照合することで使用者を認証する認証手段と、を有し、前記マッサージ機と前記サーバーは通信可能に接続されており、前記マッサージ機は、前記認証手段の認証結果に基づき前記制限モードから前記制限解除モードへ移行することを特徴とする。
このような構成とすることにより、マッサージ機で入力した使用者を特定するための情報とサーバーにあらかじめ記憶された使用者を特定するための情報とを認証し、使用者を特定する。その後、認証した情報をマッサージ機へ送信することで、マッサージ機は、認証結果に基づいて制限モードから制限解除モードへ移行する。そのため、マッサージ機を勝手に使用して怪我をしたり、誤使用によりマッサージ機を破損・故障させたりすることを防ぐことができる。また、購入意思のない使用者が休憩のためにマッサージ機を使用するのを防ぐことができる。
【００１０】
また、前記電子通信端末、前記マッサージ機、前記サーバーのうち少なくとも１つは、前記情報を削除する削除手段を有し、前記情報は、自動的に前記削除手段により削除されることが好ましい。
このような構成とすることにより、使用者を特定するための情報（個人情報）が不正に利用されることを防ぐことができる。
【００１１】
また、前記情報は、使用者の生体情報であることが好ましい。
このような構成とすることにより、使用者は、使用者を特定するための情報が含まれた媒体を持ち歩く必要がなくなる。例えば、ＱＲコード（登録商標）などが印刷された紙媒体やＵＳＢなどの電子媒体を持ち歩く必要がなくなる。
【００１２】
本発明は、マッサージ機は、前記マッサージ機の動作を制御する制御手段と、使用者を特定するための情報を入力する入力手段と、使用者を特定するための情報を登録する登録手段と、前記入力手段で入力された情報と前記登録手段で登録された情報とを照合することで使用者を認証する認証手段と、前記情報を削除する削除手段と、を有し、前記制御手段は、前記マッサージ機の少なくともマッサージ動作を制限する制限モード１８と、前記制限モード１８を解除する制限解除モード１９と、を有し、前記情報は、使用者の生体情報であり、前記マッサージ機は、前記認証手段の認証結果に基づき前記制限モード１８から前記制限解除モード１９へ移行するとともに、前記情報を自動的に前記削除手段により削除することを特徴とする。
このような構成とすることにより、マッサージ機で使用者を特定するための情報を入力や登録、さらには認証することで、マッサージ機は、認証結果に基づいて制限モード１８から制限解除モード１９へ移行する。その後、使用者を特定するための情報を自動的に削除する。そのため、マッサージ機を勝手に使用して怪我をしたり、誤使用によりマッサージ機を破損・故障させたりすることを防ぐことができる。また、購入意思のない使用者が休憩のためにマッサージ機を使用するのを防ぐことができる。さらに、使用者を特定するための情報（個人情報）が不正に利用されることを防ぐことができる。
【００１３】
また、前記情報が削除されると、前記マッサージ機は、前記制限解除モードから前記制限モードへ移行することが好ましい。
このような構成とすることにより、第三者によってマッサージ機が不正に利用されるのを防ぐことができる。
【発明の効果】
【００１４】
本発明によれば、販売員が不在であっても、使用者がマッサージ機を勝手に使用して怪我をしたり、誤使用によりマッサージ機を破損・故障させたりすることを防ぐことができる認証システム及びこの認証システムを備えたマッサージ機と、購入意思のない使用者が休憩のためにマッサージ機を使用するのを防ぐことができる。
【図面の簡単な説明】
【００１５】
【図１】本実施形態に係る認証システム（その１）の全体構成を示す図である。
【図２】本実施形態に係る認証システム（その２）の全体構成を示す図である。
【図３】本実施形態に係る認証システム（その３）の全体構成を示す図である。
【図４】本実施形態に係る認証システム（その４）の全体構成を示す図である。
【図５】マッサージ機と電子通信端末とサーバーの構成を示すブロック図である。
【図６】マッサージ機のコントローラを示す図である。
【図７】使用者を特定するための情報を入力手段により入力する図であり、（ａ）は顔による入力を示す図であり、（ｂ）は虹彩による入力を示す図であり、（ｃ）は網膜による入力を示す図であり、（ｄ）は指紋による入力を示す図であり、（ｅ）は声紋による入力を示す図である。
【図８】認証手段による認証結果を示す図であり、（ａ）は認証結果が成功した場合を示す図であり、（ｂ）は認証結果が失敗した場合を示す図である。
【図９】認証システム（その１）による認証フローを示す図である。
【図１０】認証システム（その２）による認証フローを示す図である。
【図１１】認証システム（その３）による認証フローを示す図である。
【図１２】認証システム（その４）による認証フローを示す図である。
【発明を実施するための形態】
【００１６】
［認証システムの全体構成］
実施形態に係るマッサージ機１０を備えた認証システムの全体構成について説明する。図１は、本実施形態に係る認証システム（その１）１００の全体構成を示す図である。図２は、本実施形態に係る認証システム（その２）２００の全体構成を示す図である。図３は、本実施形態に係る認証システム（その３）３００の全体構成を示す図である。図４は、本実施形態に係る認証システム（その４）４００の全体構成を示す図である。図５は、マッサージ機１０と電子通信端末２０とサーバー３０の構成を示すブロック図である。
【００１７】
［認証システム（その１）の構成］
認証システム１００について、図１に基づいて説明する。認証システム１００は、マッサージ機１０と電子通信端末２０と、で構成されている。
マッサージ機１０について説明する。マッサージ機１０は、使用者に対してマッサージ動作を行うためのマッサージ部１２と、マッサージ機１０の動作を制御するための制御手段１１と、使用者を特定するための情報を入力する入力手段１４と、後述する電子通信端末２０に設けられた使用者を特定するための情報を登録する登録手段２２で登録された情報と入力手段１４で入力された情報とを照合することで使用者を認証する認証手段１６と、使用者を特定するための情報を削除する削除手段１７と、を有している。制御手段１１は、マッサージ機１０の下部に設けられている。
また、マッサージ部１２は、マッサージ機１０の背凭れ部３の内部に設けられた機械式のマッサージユニット１２ａと、マッサージ機１０の座部２とフットレスト４に設けられたエアセル１２ｂと、で構成されている。なお、エアセル１２ｂを背凭れ部３に設けてもよい。
【００１８】
電子通信端末２０について説明する。電子通信端末２０は、可搬型のタブレット端末である。電子通信端末２０は、少なくとも撮影した使用者の顔や虹彩や網膜や指紋、声紋を表示するための画面部２０ｂと、画面部２０ｂの上部に設けられた使用者の顔や虹彩、網膜を撮影するためのカメラ２０ａと、画面部２０ｂの下部に設けられた物理ボタン２０ｃと、使用者を特定するための情報を登録する登録手段２２と、使用者を特定するための情報を削除する削除手段２４と、で構成されている。画面部２０ｂは、タッチパネルで構成されている。
認証システム１００では、使用者を特定するための情報を登録する登録手段２２としてカメラ２０ａを利用している。また、画面部２０ｂには、マッサージ機１０の認証手段１６による認証結果が報知されるようになっている。なお、報知方法については後述する。
なお、電子通信端末２０は、タブレット端末に限定されるものではなく、マッサージ機１０と物理的に分離しており、可搬できるものであればよい。例えば、スマートフォンであってもよい。
【００１９】
マッサージ機１０と電子通信端末２０とは、通信可能に接続されている。本実施例においては、通信手段９０として、Ｗｉ−Ｆｉ又はブルートゥース（登録商標）が使用されている。なお、マッサージ機１０と電子通信端末２０とが通信できる方法であれば、上述以外のものを使用してもよい。
【００２０】
［認証システム（その２）の構成］
認証システム２００について、図２に基づいて説明する。認証システム２００は、マッサージ機１０と電子通信端末２０と、で構成されている。
マッサージ機１０について説明する。マッサージ機１０は、使用者に対してマッサージ動作を行うためのマッサージ部１２と、マッサージ機１０の動作を制御するための制御手段１１と、を有している。制御手段１１は、マッサージ機１０の下部に設けられている。
また、マッサージ部１２は、マッサージ機１０の背凭れ部３の内部に設けられた機械式のマッサージユニット１２ａと、マッサージ機１０の座部２とフットレスト４に設けられたエアセル１２ｂと、で構成されている。なお、エアセル１２ｂを背凭れ部３に設けてもよい。
【００２１】
電子通信端末２０について説明する。電子通信端末２０は、可搬型のタブレット端末である。電子通信端末２０は、少なくとも撮影した使用者の顔や虹彩や網膜や指紋、声紋を表示するための画面部２０ｂと、画面部２０ｂの上部に設けられた使用者の顔や虹彩、網膜を撮影するためのカメラ２０ａと、画面部２０ｂの下部に設けられた物理ボタン２０ｃと、使用者を特定するための情報を入力する入力手段２１と、使用者を特定するための情報を登録する登録手段２２と、登録手段２２で登録された情報と入力手段２１で入力された情報とを照合することで使用者を認証する認証手段２３と、使用者を特定するための情報を削除する削除手段２４と、で構成されている。
認証システム２００では、使用者を特定するための情報を入力する入力手段２１と使用者を特定するための情報を登録する登録手段２２としてカメラ２０ａを利用している。また、画面部２０ｂには、電子通信端末２０の認証手段２３による認証結果が報知されるようになっている。なお、報知方法については後述する。
なお、電子通信端末２０は、タブレット端末に限定されるものではなく、マッサージ機１０と物理的に分離しており、可搬できるものであればよい。例えば、スマートフォンであってもよい。
【００２２】
マッサージ機１０と電子通信端末２０とは、通信可能に接続されている。本実施例においては、通信手段９０として、Ｗｉ−Ｆｉ又はブルートゥース（登録商標）が使用されている。なお、マッサージ機１０と電子通信端末２０とが通信できる方法であれば、上述以外のものを使用してもよい。
【００２３】
［認証システム（その３）の構成］
認証システム３００について、図３に基づいて説明する。認証システム３００は、マッサージ機１０とサーバー３０と、で構成されている。
マッサージ機１０について説明する。マッサージ機１０は、使用者に対してマッサージ動作を行うためのマッサージ部１２と、使用者を特定するための情報を入力する入力手段１４と、使用者を特定するための情報を削除する削除手段１７と、マッサージ機１０の動作を制御するための制御手段１１と、を有している。制御手段１１は、マッサージ機１０の下部に設けられている。
また、マッサージ部１２は、マッサージ機１０の背凭れ部３の内部に設けられた機械式のマッサージユニット１２ａと、マッサージ機１０の座部２とフットレスト４に設けられたエアセル１２ｂと、で構成されている。なお、エアセル１２ｂを背凭れ部３に設けてもよい。
【００２４】
サーバー３０について説明する。サーバー３０は、事業者に設置されたクラウド型のサーバー３０である。事業者としては、例えば、マッサージ機１０を貸し出す又は販売する事業者などが挙げられる。サーバー３０は、使用者を特定するための情報をあらかじめ記憶した記憶手段３１と、マッサージ機１０の入力手段１４で入力された情報と記憶手段３１にあらかじめ記憶した情報とを照合することで使用者を認証する認証手段３２と、使用者を特定するための情報を削除する削除手段３３と、で構成されている。
【００２５】
マッサージ機１０とサーバー３０とは、通信可能に接続されている。本実施例においては、通信手段９１として、通信ネットワーク９１が使用されている。
【００２６】
［認証システム（その４）の構成］
認証システム４００について、図４に基づいて説明する。認証システム４００は、マッサージ機１０と電子通信端末２０と、で構成されている。
マッサージ機１０について説明する。マッサージ機１０は、使用者に対してマッサージ動作を行うためのマッサージ部１２と、使用者を特定するための情報を入力する入力手段１４と、使用者を特定するための情報を登録する登録手段１５と、登録手段１５で登録された情報と入力手段１４で入力された情報とを照合することで使用者を認証する認証手段１６と、使用者を特定するための情報を削除する削除手段１７と、マッサージ機１０の動作を制御するための制御手段１１と、を有している。制御手段１１は、マッサージ機１０の下部に設けられている。
また、マッサージ部１２は、マッサージ機１０の背凭れ部３の内部に設けられた機械式のマッサージユニット１２ａと、マッサージ機１０の座部２とフットレスト４に設けられたエアセル１２ｂと、で構成されている。なお、エアセル１２ｂを背凭れ部３に設けてもよい。
【００２７】
電子通信端末２０について説明する。電子通信端末２０は、可搬型のタブレット端末である。電子通信端末２０は、少なくとも撮影した使用者の顔や虹彩や網膜や指紋、声紋を表示するための画面部２０ｂと、画面部２０ｂの上部に設けられた使用者の顔や虹彩、網膜を撮影するためのカメラ２０ａと、画面部２０ｂの下部に設けられた物理ボタン２０ｃと、で構成されている。
なお、電子通信端末２０は、タブレット端末に限定されるものではなく、マッサージ機１０と物理的に分離しており、可搬できるものであればよい。例えば、スマートフォンであってもよい。
【００２８】
マッサージ機１０と電子通信端末２０とは、通信可能に接続されている。本実施例においては、通信手段９０として、Ｗｉ−Ｆｉ又はブルートゥース（登録商標）が使用されている。なお、マッサージ機１０と電子通信端末２０とが通信できる方法であれば、上述以外のものを使用してもよい。
【００２９】
以下、本実施形態に係るマッサージ機１０の全体構成について説明する。なお、以下の説明で用いる方向の概念は、図１に示すマッサージ機１０に着座した使用者から見たときの方向の概念と一致するものとし、その他の場合は適宜説明するものとする。
【００３０】
［マッサージ機の全体構成］
図１〜図５に示すとおり、本実施形態に係るマッサージ機１０は、主として、使用者が着座する座部２と、座部２の後部にリクライニング可能に設けられた使用者が凭れる背凭れ部３と、座部２の前部に上下揺動可能に設けられた使用者の下肢を支持するフットレスト４と、を有している。座部２、背凭れ部３、フットレスト４は、使用者の身体を支持する身体支持部として機能する。マッサージ機１０は、背凭れ部３に揉みマッサージ及び／又は叩きマッサージを行う機械式のマッサージユニット１２ａと、マッサージ機１０に着座した使用者の身体部位の各部をマッサージするためのエアセル１２ｂと、マッサージ機１０の各動作を制御する制御手段１１と、後述する使用者に各種操作を行わせるコントローラ１３と、を有している。
【００３１】
制御手段１１は、プログラマブルなマイコン等を有しており、マッサージ部１２を駆動制御する。制御手段１１には、後述するコントローラ１３が電気的に接続されている。マッサージ機１０は、制御手段１１に記憶された所定のプログラム（マッサージコース）に従ってマッサージ部１２を動作させる他、後述する使用者によるコントローラ１３からの指示に従って動作する。
なお、制御手段１１は、認証手段１６、２３、３２の認証結果に基づき、マッサージ機１０の少なくともマッサージ動作を制限する制限モード１８と、制限モード１８を解除する制限解除モード１９と、を有する。
【００３２】
［座部の構成］
図１〜図４に示すとおり、座部２の前側には、後述するフットレス４が座部２に対して揺動軸６を介して上下方向へ揺動自在に取り付けられている。また、座部２の後側には、後述する背凭れ部３が座部２に対して揺動軸５を介して前後方向へリクライニング自在に取り付けられている。
なお、座部２には、使用者の臀部及び／又は大腿部をマッサージするためのマッサージ部１２ｂが設けられている。マッサージ部１２ｂは、エアセルで構成されている。
【００３３】
［背凭れ部の構成］
図１〜４に示すとおり、背凭れ部３の内部には、マッサージ部１２とマッサージ部１２の昇降をガイドするガイドレール７と、が設けられている。背凭れ部３の内部に設けられたマッサージ部１２は、機械式のマッサージユニット１２ａである。機械式のマッサージユニット１２ａは、カバー部材（図示せず）を介して使用者の胴体を後方からマッサージできるようになっている。機械式のマッサージユニット１２ａは、例えば、上下２つの揉み玉を左右一対有する。機械式のマッサージユニット１２ａは、ガイドレール７に沿い上下に昇降しながら、揉み玉により人の背部をマッサージする。
【００３４】
［フットレストの構成］
フットレスト４は、使用者の下肢を挿入可能な左右一対の凹部（図示せず）を有する。使用者は、凹部に下肢を挿入することでフットレスト４に下肢を支持させることができる。なお、凹部の側部には、使用者の下肢をマッサージするためのマッサージ部１２ｂが設けられている。マッサージ部１２ｂは、エアセルで構成されている。
【００３５】
［コントローラの構成］
図５は、マッサージ機１０と電子通信端末２０とサーバー３０の構成を示すブロック図である。図６は、マッサージ機１０のコントローラ１３を示す図である。
図５、図６に示すとおり、コントローラ１３は、制御手段１１と接続されている。コントローラ１３は、少なくとも撮影した使用者の顔や虹彩や網膜や指紋、声紋を表示するための画面部１３ｂと、画面部１３ｂの上部に設けられた使用者の顔や虹彩、網膜を撮影するためのカメラ１３ａと、画面部１３ｂの下部に設けられた物理ボタン１３ｃと、使用者の音声を入力／登録するための音声認識部１４ａと、で構成されている。
画面部１３ｂは、タッチパネルで構成されている。使用者は、画面部１３ｂや物理ボタン１３ｃを操作することにより、マッサージ部１２の動作を変更するだけでなく、背凭れ部３の姿勢やフットレスト４の姿勢を変更することができる。
【００３６】
［制御手段の構成］
図５に示すとおり、制御手段１１には、使用者に対してマッサージをするマッサージ部１２と、マッサージ機１０を操作するためのコントローラ１３と、使用者を特定するための情報を入力する入力手段１４と、使用者を特定するための情報を登録するための登録手段１５と、登録手段１５、２２で登録された情報と入力手段１４、２１で入力された情報とを照合することで使用者を認証する認証手段１６と、使用者を特定するための情報を削除する削除手段１７と、が接続されている。
制御手段１１は、認証手段１６、２３、３２の認証結果に基づき、マッサージ機１０の少なくともマッサージ動作を制御する。具体的には、認証結果が一致した場合には、マッサージ機１０を少なくともマッサージ動作を制限する制限モード１８から制限モード１８を解除する制限解除モード１９へ移行させ、認証結果が一致しなかった（不一致）場合には、少なくともマッサージ動作を制限する制限モード１８の状態を維持する。
【００３７】
［入力手段の構成］
図７は、使用者を特定するための情報を入力手段２１により入力する図であり、（ａ）は顔による入力を示す図であり、（ｂ）は虹彩による入力を示す図であり、（ｃ）は網膜による入力を示す図であり、（ｄ）は指紋による入力を示す図であり、（ｅ）は声紋による入力を示す図である。なお、図７は、電子通信端末２０で入力する場合である。マッサージ機１０の入力手段１４により使用者を特定するための情報を入力する場合については後述する。
【００３８】
生体情報として使用者の顔を利用して、入力手段２１により、使用者を特定するための情報を入力する方法について説明する。
図７（ａ）〜（ｃ）に示すとおり、入力手段２１は、電子通信端末２０の上部に設けられたカメラ２０ａである。使用者は、電子通信端末２０を操作し、カメラ２０ａを起動する。カメラ２０ａを起動すると、画面部２０ｂに「ユーザー特定のため顔を入力／登録します」という表示が出力される。使用者は、画面部２０ｂに表示された円Ｒ内に使用者の顔が映るように電子通信端末２０を操作する。そして、使用者の顔を撮影する。撮影された使用者の顔の画像が電子通信端末２０に記憶される。このようにすることで、使用者を特定するための情報を入力することができる。
なお、生体情報として使用者の虹彩や網膜を利用する場合にも、顔を利用する場合と同じ方法で行う。
【００３９】
生体情報として使用者の指紋を利用して、入力手段２１により、使用者を特定するための情報を入力する方法について説明する。
図７（ｄ）に示すとおり、入力手段２１は、電子通信端末２０の画面部２０ｂに設けられた指紋センサー（図示せず）である。使用者は、電子通信端末２０を操作し、指紋を入力することができる画面に切り替える。画面を切り替えると、画面部２０ｂに「ユーザー特定のため指紋を入力／登録します」という表示が出力される。使用者は、画面部２０ｂに表示された円Ｒ内に使用者の指紋が映るように指を画面部２０ｂに押し付ける。そして、使用者の指紋を入力する。押し付けられた使用者の指紋の画像が電子通信端末２０に記憶される。このようにすることで、使用者を特定するための情報を入力することができる。
なお、指紋センサー（図示せず）は、例えば、画面２０ｂの内部に設けられた電極によって「静電容量方式」により指紋を検出するものである。
【００４０】
生体情報として使用者の声紋を利用して、入力手段２１により、使用者を特定するための情報を入力する方法について説明する。
図７（ｅ）に示すとおり、入力手段２１は、電子通信端末２０に設けられた音声認識部２１ａである。使用者は、電子通信端末２０を操作し、音声認識部２１ａを起動する。音声認識部２１ａを起動すると、画面部２０ｂに「ユーザー特定のため声紋を入力／登録します」という表示が出力される。使用者は、「おはようございます。」など何らかの言葉を発する。音声認識部２１ａは、使用者から発せられた言葉から声紋を分析し、画面部２０ｂに表示された円Ｒ内に表示する。そして、使用者の声紋を入力する。入力された使用者の声紋のデータが電子通信端末２０に記憶される。このようにすることで、使用者を特定するための情報を入力することができる。
【００４１】
マッサージ機１０の入力手段１４により、使用者を特定するための情報を入力する場合について説明する。マッサージ機１０のコントローラ１３は、入力手段１４を兼ねている。
入力方法については、電子通信端末２０で行う場合と同じである。電子通信端末２０のカメラ２０ａをカメラ１３ａに置き換え、電子通信端末２０の画面部２０ｂを画面部１３ｂに置き換え、電子通信端末２０の音声認識部２１ａをコントローラ１３に設けられた音声認識部１４ａに置き換えることで、使用者を特定するための情報を入力することができる。
【００４２】
［登録手段の構成］
生体情報として使用者の顔を利用して、登録手段２２により、使用者を特定するための情報を登録する方法について説明する。マッサージ機１０の登録手段１５により使用者を特定するための情報を登録する場合については後述する。なお、登録手段２２は入力手段２１と同じ構成であり、登録手段１５は入力手段１４と同じ構成である。
【００４３】
生体情報として使用者の顔を利用して、登録手段２２により、使用者を特定するための情報を登録する方法について説明する。
図７（ａ）〜（ｃ）に示すとおり、登録手段２２は、電子通信端末２０の上部に設けられたカメラ２０ａである。使用者は、電子通信端末２０を操作し、カメラ２０ａを起動する。カメラ２０ａを起動すると、画面部２０ｂに「ユーザー特定のため顔を入力／登録します」という表示が出力される。使用者は、画面部２０ｂに表示された円Ｒ内に使用者の顔が映るように電子通信端末２０を操作する。そして、使用者の顔を撮影する。撮影された使用者の顔の画像が電子通信端末２０に記憶される。このようにすることで、使用者を特定するための情報を登録することができる。
なお、生体情報として使用者の虹彩や網膜を利用する場合にも、顔を利用する場合と同じ方法で行う。
【００４４】
生体情報として使用者の指紋を利用して、登録手段２２により、使用者を特定するための情報を登録する方法について説明する。
図７（ｄ）に示すとおり、登録手段２２は、電子通信端末２０の画面部２０ｂに設けられた指紋センサー（図示せず）である。使用者は、電子通信端末２０を操作し、指紋を登録することができる画面に切り替える。画面を切り替えると、画面部２０ｂに「ユーザー特定のため指紋を入力／登録します」という表示が出力される。使用者は、画面部２０ｂに表示された円Ｒ内に使用者の指紋が映るように指を画面部２０ｂに押し付ける。そして、使用者の指紋を登録する。押し付けられた使用者の指紋の画像が電子通信端末２０に記憶される。このようにすることで、使用者を特定するための情報を登録することができる。
なお、指紋センサー（図示せず）は、例えば、画面２０ｂの内部に設けられた電極によって「静電容量方式」により指紋を検出するものである。
【００４５】
生体情報として使用者の声紋を利用して、登録手段２２により、使用者を特定するための情報を登録する方法について説明する。
図７（ｅ）に示すとおり、登録手段２２は、電子通信端末２０に設けられた音声認識部（図示せず）である。使用者は、電子通信端末２０を操作し、音声認識部（図示せず）を起動する。音声認識部（図示せず）を起動すると、画面部２０ｂに「ユーザー特定のため声紋を入力／登録します」という表示が出力される。使用者は、「おはようございます。」など何らかの言葉を発する。音声認識部（図示せず）は、使用者から発せられた言葉から声紋を分析し、画面部２０ｂに表示された円Ｒ内に表示する。そして、使用者の声紋を登録する。登録された使用者の声紋のデータが電子通信端末２０に記憶される。このようにすることで、使用者を特定するための情報を登録することができる。
【００４６】
マッサージ機１０の登録手段１５により、使用者を特定するための情報を登録する場合について説明する。マッサージ機１０のコントローラ１３は、登録手段１５を兼ねている。
登録方法については、電子通信端末２０で行う場合と同じである。電子通信端末２０のカメラ２０ａをカメラ１３ａに置き換え、電子通信端末２０の画面部２０ｂを画面部１３ｂに置き換え、電子通信端末２０の音声認識部（図示せず）をコントローラ１３に設けられた音声認識部（図示せず）に置き換えることで、使用者を特定するための情報を登録することができる。
【００４７】
［生体情報の構成］
図７に示すとおり、生体情報としては、身体的特徴である「顔」、「虹彩」、「網膜」、「指紋」、  「声紋（音声）」が挙げられる。
「顔」を利用する場合、マッサージ機１０のコントローラ１３に設けられたカメラ１３ａや電子通信端末２０に設けられたカメラ２０ａで入力・登録することができるというメリットがある。つまり、特別な読み取り装置を設ける必要がなくなる。また、特別な読み取り装置に手を触れるなどといった特別な動作も必要ないため、例えば、両手がふさがっている状態でも利用することができる。
「虹彩」や「網膜」を利用する場合、生涯にわたって同一性を保つことができるというメリットがある。虹彩は、瞼や角膜などで保護されているため、顔などに比べると形状が一定している。そのため、外傷などを負わない限り、生涯にわたって同一性を保つことができる。また、網膜は、網膜に血液を供給する毛細血管は複雑な構造をしており、個人ごとに網膜パターンは異なる。そして、網膜パターンは基本的には変化しないため、外傷などを負わない限り、生涯にわたって同一性を保つことができる。
なお、マッサージ機１のコントローラ１３に設けられたカメラ１３ａや電子通信端末２０に設けられたカメラ２０ａに高解像度のカメラを採用することで利用することができる。
【００４８】
「指紋」で認証する場合、生涯にわたって同一性を保つことができるというメリットがある。指紋には、渦状紋・蹄状紋・弓状紋・変体紋の４種類がある。指紋は、この４種類の中のいずれの形をしている。また、指紋の形状は個人ごとに全て異なる。そのため、外傷などを負わない限り、生涯にわたって同一性を保つことができる。
「声紋（音声）」で認証する場合、顔や虹彩、網膜や指紋などで認証する場合に比べて、心理的な抵抗が少ないというメリットがある。個人ごとに声道の形や大きさは異なるため、サウンドスペクトログラムのパターンは個人ごとに異なる。そのため、サウンドスペクトログラムの違いを分析することで使用者を特定することができる。
【００４９】
なお、生体情報であれば上述のものには限られない。例えば、掌形や血管（静脈）、耳形などを利用してもよい。掌形や血管（静脈）を利用する場合には、前述の画面部１３ｂ、２０ｂを利用する方法を採用すればよい。また、耳形を利用する場合には、前述のカメラ１３ａ、２０ａを利用する方法を採用すればよい。
このように、生体情報を利用することで、使用者は使用者を特定するための情報が含まれた媒体を持ち歩く必要がなくなる。
【００５０】
［認証手段の構成］
図８は、認証手段１６、２３、３２による認証結果を示す図であり、（ａ）は認証結果が成功した場合を示す図であり、（ｂ）は認証結果が失敗した場合を示す図である。
認証手段１６は、マッサージ機１０に設けられている。認証手段２３は、電子通信端末２０に設けられている。認証手段３２は、サーバー３０に設けられている。
認証手段１６、２３は、入力手段１４、２１で入力された情報と登録手段１５、２２で登録された情報とを照合することができる。また、認証手段３２は、入力手段１４、２１で入力された情報と記憶手段３１に記憶された情報とを照合することができる。認証結果は、入力された情報と登録された情報とを照合し、完全に一致した場合には認証成功となる。一部でも一致しない場合には認証失敗となる。認証結果が電子通信端末２０に報知される場合を例に説明する。
【００５１】
認証が成功した場合、電子通信端末２０の画面部２０ｂに「認証に成功しました。制限解除モードへ移行します。」という内容が報知される。また、この際、マッサージ機１０のコントローラ１３の画面部１３ｂにも同様の内容を報知する。
認証が失敗した場合、電子通信端末２０の画面部２０ｂに「認証に失敗しました。再度認証を行いますので、もう一度情報を入力してください。」という内容が報知される。また、この際、マッサージ機１０のコントローラ１３の画面部１３ｂにも同様の内容を報知する。
【００５２】
［削除手段の構成］
図５に示すとおり、削除手段１７、２４、３３は、使用者を特定するための情報を削除することができる。削除手段１７は、マッサージ機１０に設けられている。削除手段２４は、電子通信端末２０に設けられている。削除手段３３は、サーバー３０に設けられている。
使用者を特定するための情報は、自動的に削除手段１７、２４、３３により削除される。削除するタイミングについては、認証手段１６、２３、３２による認証が完了していれば、どのタイミングであってもよい。例えば、認証完了後すぐに削除してもよいし、マッサージ機１０のマッサージコース終了時に削除してもよい。また、認証が完了してから１０分経過後に削除してもよい。
【００５３】
［記憶手段の構成］
図３、図５に示すとおり、記憶手段３１は、サーバー３０に設けられている。記憶手段３１には、使用者を特定するための情報があらかじめ記憶されている。
記憶手段３１に使用者を特定するための情報を記憶させる方法について説明する。
例えば、使用者自身が持っている電子通信端末２０（具体的には、スマートフォンやタブレット端末）に搭載されているカメラ２０ａを使用する場合、使用者自身で自分の顔写真を撮影する。その後、撮影した顔写真を通信ネットワーク９１を介してサーバー３０に送信する。サーバー３０は、電子通信端末２０から送信された顔写真を記憶手段３１に記憶する。なお、使用者が持っているパソコン（図示せず）から通信ネットワーク９１を介してサーバー３０に顔写真を送信するようにしてもよい。
このようにすることで、使用者がマッサージ機１０の登録手段１５や電子通信端末２０の登録手段２２で登録する手間を省くことができる。
【００５４】
［認証パターン１］
図９は、認証システム（その１）による認証フローを示す図である。認証システム（その１）は、マッサージ機１０と、電子通信端末２０と、で構成されており、図１に対応している。
図９に示すとおり、マッサージ機１０は、マッサージ機１０の少なくともマッサージ動作を制限する制限モード１８が初期状態となっている（ＳＴＥＰ１）。使用者は、電子通信端末２０の登録手段２２により使用者を特定するための情報を登録する（ＳＴＥＰ２）。例えば、登録手段２２はカメラであり、カメラで使用者の生体情報である顔を撮影することで使用者を特定するための情報を登録する。その後、使用者は、マッサージ機１０に対して入力手段１４により使用者を特定するための情報を入力する（ＳＴＥＰ３）。例えば、入力手段１４はコントローラ１３に設けられたカメラであり、カメラで使用者の生体情報である顔を撮影することで情報を入力する。情報が入力されると、マッサージ機１０は、電子通信端末２０に登録手段２２により登録された使用者を特定するための情報の送信を要求する（ＳＴＥＰ４）。電子通信端末２０は、マッサージ機１０の要求に応じて、登録された使用者を特定するための情報をマッサージ機１０へ送信する（ＳＴＥＰ５）。その後、マッサージ機１０に設けられた認証手段１６による認証が開始する（ＳＴＥＰ６）。
【００５５】
認証が失敗（認証結果が不一致）した場合には、再度マッサージ機１０に対して使用者を特定するための情報を入力する（ＳＴＥＰ３に戻る）。認証が成功（認証結果が一致）した場合には、マッサージ機１０の削除手段１７によりマッサージ機１０から情報の削除が行われる（ＳＴＥＰ７）。その後、電子通信端末２０の削除手段２４により電子通信端末２０から情報の削除が行われる（ＳＴＥＰ８）。そして、マッサージ機１０は、認証に成功したことを電子通信端末２０へ報知する（ＳＴＥＰ９）。報知が終わると、マッサージ機１０は、制限モード１８を解除する制限解除モード１９に移行する（ＳＴＥＰ１０）。その後、マッサージ動作を実行する（ＳＴＥＰ１１）。所定時間経過後、マッサージ動作が終了する（ＳＴＥＰ１２）。マッサージ動作が終了すると、マッサージ機１０は、制限解除モード１９から制限モード１８へ移行する（ＳＴＥＰ１３）。なお、削除手段１７による情報の削除は、認証が成功した後であればどのタイミングであってもよい。例えば、ＳＴＥＰ９の後でもよいし、ＳＴＥＰ１２の後でもよい。ＳＴＥＰ１２の後に情報を削除する場合、使用者がマッサージ機１０の動作を使用中に誤操作により停止させてしまった場合であっても、再度認証する手間を省くことができる。
【００５６】
［認証パターン２］
図１０は、認証システム（その２）による認証フローを示す図である。認証システム（その２）は、マッサージ機１０と、電子通信端末２０と、で構成されており、図２に対応している。
図１０に示すとおり、マッサージ機１０は、マッサージ機１０の少なくともマッサージ動作を制限する制限モード１８が初期状態となっている（ＳＴＥＰ１）。使用者は、電子通信端末２０の登録手段２２により使用者を特定するための情報を登録する（ＳＴＥＰ２）。例えば、登録手段２２はカメラであり、カメラで使用者の生体情報である顔を撮影することで使用者を特定するための情報を登録する。その後、使用者は再度電子通信端末２０の入力手段２１により使用者を特定するための情報を入力する（ＳＴＥＰ３）。例えば、入力手段２１はカメラであり、カメラで使用者の生体情報である顔を撮影することで情報を入力する。電子通信端末２０は、情報が入力されると、登録された使用者を特定するための情報の呼び出しを行う（ＳＴＥＰ４）。その後、電子通信端末２０に設けられた認証手段２３による認証が開始する（ＳＴＥＰ５）。
【００５７】
認証が失敗（認証結果が不一致）した場合には、再度電子通信端末２０に対して使用者を特定するための情報を入力する（ＳＴＥＰ３に戻る）。認証が成功（認証結果が一致）した場合には、マッサージ機１０は、制限モード１８を解除する制限解除モード１９に移行する（ＳＴＥＰ６）。その後、電子通信端末２０の削除手段２４により情報の削除が行われる（ＳＴＥＰ７）。そして、マッサージ動作を実行する（ＳＴＥＰ８）。所定時間経過後、マッサージ動作が終了する（ＳＴＥＰ９）。マッサージ動作が終了すると、マッサージ機１０は、制限解除モード１９から制限モード１８へ移行する（ＳＴＥＰ１０）。なお、削除手段２４による情報の削除は、認証が成功した後であればどのタイミングであってもよい。例えば、ＳＴＥＰ５の後でもよいし、ＳＴＥＰ９の後でもよい。ＳＴＥＰ９の後に情報を削除する場合、使用者がマッサージ機１０の動作を使用中に誤操作により停止させてしまった場合であっても、再度認証する手間を省くことができる。
【００５８】
［認証パターン３］
図１１は、認証システム（その３）による認証フローを示す図である。認証システム（その３）は、マッサージ機１０と、サーバー３０と、で構成されており、図３に対応している。
図１１に示すとおり、マッサージ機１０は、マッサージ機１０の少なくともマッサージ動作を制限する制限モード１８が初期状態となっている（ＳＴＥＰ１）。サーバー３０には、使用者を特定するための情報があらかじめ記憶されている。例えば、使用者は、事前に自分が持っているスマートフォンで生体情報である自分の顔を撮影しておく。撮影したものをサーバー３０にアップロードし、記憶させる。使用者は、マッサージ機１０の入力手段１４により使用者を特定するための情報を入力する（ＳＴＥＰ２）。例えば、入力手段１４はカメラであり、カメラで使用者の生体情報である顔を撮影することで情報を入力する。その後、マッサージ機１０は、使用者を特定するための情報をサーバー３０へ送信する（ＳＴＥＰ３）。情報が送信されると、サーバー３０は、あらかじめ記憶された使用者を特定するための情報の呼び出しを行う（ＳＴＥＰ４）。その後、サーバー３０に設けられた認証手段３２による認証が開始する（ＳＴＥＰ５）。
【００５９】
認証が失敗（認証結果が不一致）した場合には、再度マッサージ機１０に対して使用者を特定するための情報を入力する（ＳＴＥＰ２に戻る）。認証が成功（認証結果が一致）した場合には、サーバー３０の削除手段３３によりサーバー３０に記憶された情報の削除が行われるとともに、マッサージ機１０の削除手段１７によりマッサージ機１０に登録・入力された情報の削除が行われる（ＳＴＥＰ６）。そして、マッサージ機１０は、サーバー３０であらかじめ記憶された情報とマッサージ機１０で入力された情報とが一致したことを受け、制限モード１８を解除する制限解除モード１９に移行する（ＳＴＥＰ７）。その後、マッサージ動作を実行する（ＳＴＥＰ８）。所定時間経過後、マッサージ動作が終了する（ＳＴＥＰ９）。マッサージ動作が終了すると、マッサージ機１０は、制限解除モード１９から制限モード１８へ移行する（ＳＴＥＰ１０）。なお、削除手段１７、３３による情報の削除は、認証が成功した後であればどのタイミングであってもよい。例えば、ＳＴＥＰ７の後でもよいし、ＳＴＥＰ９の後でもよい。ＳＴＥＰ９の後に情報を削除する場合、使用者がマッサージ機１０の動作を使用中に誤操作により停止させてしまった場合であっても、再度認証する手間を省くことができる。
【００６０】
［認証パターン４］
図１２は、認証システム（その４）による認証フローを示す図である。認証システム（その４）は、マッサージ機１０と、電子通信端末２０と、で構成されており、図４に対応している。
図１２に示すとおり、マッサージ機１０は、マッサージ機１０の少なくともマッサージ動作を制限する制限モード１８が初期状態となっている（ＳＴＥＰ１）。使用者は、マッサージ機１０の登録手段１５により使用者を特定するための情報を登録する（ＳＴＥＰ２）。例えば、登録手段１５はカメラであり、カメラで使用者の生体情報である顔を撮影することで使用者を特定するための情報を登録する。その後、使用者は再度マッサージ機１０の入力手段１４により使用者を特定するための情報を入力する（ＳＴＥＰ３）。例えば、入力手段１４はカメラであり、カメラで使用者の生体情報である顔を撮影することで情報を入力する。情報が入力されると、マッサージ機１０は、登録された使用者を特定するための情報の呼び出しを行う（ＳＴＥＰ４）。その後、マッサージ機１０に設けられた認証手段１６による認証が開始する（ＳＴＥＰ５）。
【００６１】
認証が失敗（認証結果が不一致）した場合には、再度マッサージ機１０に対して使用者を特定するための情報を入力する（ＳＴＥＰ３に戻る）。認証が成功（認証結果が一致）した場合には、マッサージ機１０の削除手段１７により情報の削除が行われる（ＳＴＥＰ６）。そして、マッサージ機１０は、認証に成功したことを電子通信端末２０へ報知する（ＳＴＥＰ７）。報知が終わると、マッサージ機１０は、制限モード１８を解除する制限解除モード１９に移行する（ＳＴＥＰ８）。その後、マッサージ動作を実行する（ＳＴＥＰ９）。所定時間経過後、マッサージ動作が終了する（ＳＴＥＰ１０）。マッサージ動作が終了すると、マッサージ機１０は、制限解除モード１９から制限モード１８へ移行する（ＳＴＥＰ１０）。なお、削除手段１７による情報の削除は、認証が成功した後であればどのタイミングであってもよい。例えば、ＳＴＥＰ７の後でもよいし、ＳＴＥＰ１０の後でもよい。ＳＴＥＰ１０の後に情報を削除する場合、使用者がマッサージ機１０の動作を使用中に誤操作により停止させてしまった場合であっても、再度認証する手間を省くことができる。
【産業上の利用可能性】
【００６２】
本発明は、マッサージ機を勝手に使用して怪我をしたり、誤使用によりマッサージ機を破損・故障させたりすることを防ぐことができるマッサージ機の認証システム及びこの認証システムを備えたマッサージ機に適用することができる。また、購入意思のない使用者が休憩のためにマッサージ機を使用するのを防ぐことができるマッサージ機の認証システム及びこの認証システムを備えたマッサージ機に適用することができる。
【符号の説明】
【００６３】
１０  マッサージ機
１１  制御手段
１４  入力手段
１６  認証手段
１８  制限モード
１９  制限解除モード
２０  電子通信端末
２２  登録手段
【図１】
2020062272.tif 000003
【図２】
2020062272.tif 000004
【図３】
2020062272.tif 000005
【図４】
2020062272.tif 000006
【図５】
2020062272.tif 000007
【図６】
2020062272.tif 000008
【図７】
2020062272.tif 000009
【図８】
2020062272.tif 000010
【図９】
2020062272.tif 000011
【図１０】
2020062272.tif 000012
【図１１】
2020062272.tif 000013
【図１２】
2020062272.tif 000014